(57)【要約】【課題】被梱包物を立設状態で保持するとともに、生産性・作業性の向上及び資源の節約を図る。【解決手段】ダンボール箱１０は、側面１２〜１８及び内フラップ２２，２４，３０，３２と外フラップ２６，２８，３４，３６を備えている。内フラップ３０には、縁部３０Ａと略直交する二つの平行な切れ込み部３０Ｄが形成されており、その間隔Ｗ１は、パチンコ台４０の外枠４８の幅Ｗ２と略同一に設定されている。切れ込み部３０Ｄの両側を、折り目線３０Ｃに沿って内側に折り曲げ、更に、内フラップ３０全体を、折り目線３０Ｂに沿って内側に折り曲げると、係止片３１の縁部がパチンコ台正面４２及び背面４６の隅に当接する。他の内フラップについても同様に係止片を当接させることにより、パチンコ台４０の四隅が表裏から係止され、ダンボール箱１０内に立設状態で保持される。【選択図】      図１
2004284591.tif 000002
【特許請求の範囲】
【請求項１】
底面側または上面側の少なくとも一方に、内側に折り曲げ可能な対向する一対の内フラップを備えた梱包用のダンボール箱であって、
前記一対の内フラップの対向する縁部から、該縁部と略直交するように形成された略平行な一対の切れ込み部，
を備えるとともに、該一対の切れ込み部の間隔を、立設状態にある略方形の被梱包物の係止位置の厚みと略同一としたことを特徴とするダンボール箱。
【請求項２】
前記一対の切れ込み部の両側を、前記縁部と略平行に内側へ折るための折り曲げ部，
を備えたことを特徴とする請求項１記載のダンボール箱。
【請求項３】
底面側または上面側の少なくとも一方に、内側に折り曲げ可能な対向する一対の内フラップを備えた梱包用のダンボール箱であって、
前記一対の内フラップの対向する縁部から、該縁部と略直交するように形成された第１の切れ込み部，
該第１の切れ込み部の端部から、前記縁部と略平行になるように左右方向へ形成された第２の切れ込み部，
を備えるとともに、前記第２の切れ込み部の長さを、立設状態にある略方形の被梱包物の係止位置の厚みと略同一としたことを特徴とするダンボール箱。
【請求項４】
前記第１の切れ込み部の両側を、該第１の切れ込み部と略平行に折るための第１の折り曲げ部，
前記第２の切れ込み部の両端側を、前記縁部と略平行に内側へ折るための第２の折り曲げ部，
を備えたことを特徴とする請求項３記載のダンボール箱。
【請求項５】
底面側または上面側の少なくとも一方に、内側に折り曲げ可能な対向する一対の内フラップを備えた梱包用のダンボール箱であって、
前記一対の内フラップの対向する縁部から所定の間隔を設けて、該縁部と略直交する方向に略平行に形成された一対の第１の切れ込み部，
両端が前記一対の第１の切れ込み部に接するとともに、該第１の切れ込み部と略直交するように形成された第２の切れ込み部，
を備えるとともに、前記一対の第１の切れ込み部の間隔を、立設状態にある略方形の被梱包物の係止位置の厚みと略同一としたことを特徴とするダンボール箱。
【請求項６】
前記一対の第１の切れ込み部の両端側を、前記縁部と略平行に内側へ折るための折り曲げ部，
を備えたことを特徴とする請求項５記載のダンボール箱。
【請求項７】
前記被梱包物が、一方の面に遊技盤を備えたパチンコ台であることを特徴とする請求項１〜６のいずれかに記載のダンボール箱。
【請求項８】
請求項１，２，７のいずれかに記載のダンボール箱を利用した梱包方法であって、
前記一対の切れ込み部の両側を、前記縁部と略平行に内側へ折り曲げることによって、折り曲げられた部分の縁を、前記被梱包物の両面に当接させて係止することを特徴とする梱包方法。
【請求項９】
請求項３，４，７のいずれかに記載のダンボール箱を利用した梱包方法であって、
前記第１の切れ込み部の両側を、該第１の切れ込み部と略平行に折り曲げるとともに、前記第２の切れ込み部の両端側を、前記縁部と略平行に内側へ折り曲げることによって、前記第１の切れ込み部の両側の折り曲げられた面を、前記被梱包物の両面に当接させて係止することを特徴とする梱包方法。
【請求項１０】
請求項５〜７のいずれかに記載のダンボール箱を利用した梱包方法であって、
前記第１の切れ込み部の両端側を前記縁部と略平行に内側に折り曲げ、前記第２の切れ込み部の両側を開いて開口部を形成し、該開口部に前記被梱包物の隅部を収納して係止することを特徴とする梱包方法。
【請求項１１】
底面側または上面側の少なくとも一方に、内側に折り曲げ可能な内フラップを備えたダンボール箱を利用した梱包方法であって、
前記内フラップに切れ込み部を形成するとともに、該内フラップの一部を折り曲げることによって被梱包物を保持することを特徴とする梱包方法。
【請求項１２】
底面側または上面側の少なくとも一方に、内側に折り曲げ可能な対向する一対の内フラップを備えたダンボール箱を利用し、略方形の被梱包物を立設状態で保持する梱包方法であって、
前記一対の内フラップの対向する縁部から、該縁部と略直交する方向に、前記被梱包物の係止位置の厚みと略同一の間隔で略平行な一対の切れ込み部を形成するステップ，
前記一対の切れ込み部の両側を前記縁部と略平行に内側へ折り曲げ、折り曲げられた部分の縁を、前記被梱包物の両面に当接させるステップ，
を含むことを特徴とする梱包方法。
【請求項１３】
底面側または上面側の少なくとも一方に、内側に折り曲げ可能な対向する一対の内フラップを備えたダンボール箱を利用し、略方形の被梱包物を立設状態で保持する梱包方法であって、
前記一対の内フラップの対向する縁部から、該縁部と略直交する方向に第１の切れ込み部を形成するステップ，
前記第１の切れ込み部の端部から、前記縁部と略平行になる左右方向へ、前記被梱包物の係止位置の厚みと略同一の長さで第２の切れ込み部を形成するステップ，
前記第１の切れ込み部の両側を、該第１の切れ込み部と略平行に折り曲げるとともに、前記第２の切れ込み部の両端側を、前記縁部と略平行に内側へ折り曲げ、前記第１の切れ込み部の両側の折り曲げられた面を、前記被梱包物の両面に当接させるステップ，
を含むことを特徴とする梱包方法。
【請求項１４】
底面側または上面側の少なくとも一方に、内側に折り曲げ可能な対向する一対の内フラップを備えたダンボール箱を利用し、略方形の被梱包物を立設状態で保持する梱包方法であって、
前記一対の内フラップの対向する縁部から所定の間隔を設けて、該縁部と略直交する方向に略平行な一対の第１の切れ込み部を形成するステップ，
前記一対の第１の切れ込み部間に、該第１の切れ込み部と略直交する第２の切れ込み部を形成するステップ，
前記第１の切れ込み部の両端側を前記縁部と略平行に内側に折り曲げ、前記第２の切れ込み部の両側を開いて開口部を形成し、該開口部に前記被梱包物の隅部を収納するステップ，
を含むことを特徴とする梱包方法。
【発明の詳細な説明】
【０００１】
【発明の属する技術分野】
本発明は、ダンボール箱及びそれを利用した梱包方法に関し、更に具体的には、パチンコ台などのように一定の厚みを有する略方形状の被梱包物を立設ないし直立状態で保持するのに好適なダンボール箱及びそれを利用した梱包方法に関するものである。
【０００２】
【背景技術】
従来より、ダンボール箱は、各種物品を運搬や保管する際の梱包に用いられている。例えば、パチンコ台のような精密機械を梱包する場合では、運搬時の揺れや振動によって破損や故障を生じる恐れがあることから、箱とパチンコ台との隙間に、各種のスペーサ等を使用していた。ところが、一般的に用いられている発泡樹脂製のスペーサ等は、通常、ダンボールと一緒に処理することができないため、使用後、リサイクル資源として活用できるダンボールとの分別が必要になる。
【０００３】
このような使用後の処理を容易にするため、最近では、スペーサや中敷・仕切部材として、ダンボール箱と同素材のダンボール紙によって形成されたものが多数見かけられる。例えば、特許文献１には、パチンコ機を構成する遊技盤を収納する段ボール箱と一枚のシート状仕切部材からなる遊技盤搬送用容器が記載されている。前記シート状仕切部材は、ボールシートをコ字状に折り曲げて形成されており、その内側には、前記遊技盤を直立状態で保持するための保持部材が設けられている。
【０００４】
【特許文献１】
特開２００２−３３２０３３号公報（第２頁，第４頁，第１図，第７図）
【０００５】
【発明が解決しようとする課題】
しかしながら、以上のような背景技術には次のような不都合がある。すなわち、本体の段ボール箱のほかに仕切部材を別体として用意しなければならず、資源の無駄が多くなるとともにコストが高くなる。また、その仕切部材についても、折り曲げたり保持部材を取り付けたりする手数がかかり、生産性や作業性がよいとは言えない。更に、保持部材が突出した形状であることから、仕切部材のみを大量に作りおきしておくためには、広い保管スペースを必要とする。
【０００６】
この発明は、以上の点に着目したもので、例えば、パチンコ台などの所定の厚みを有する略方形の被梱包物を、立設ないし直立状態で保持して破損や故障等を防止することができるとともに、生産性・作業性の向上及び資源の節約を図ることができるダンボール箱及びそれを利用した梱包方法を提供することを、その目的とするものである。
【０００７】
【課題を解決するための手段】
前記目的を達成するため、本発明のダンボール箱は、底面側または上面側の少なくともいずれか一方に、内側に折り曲げ可能な対向する一対の内フラップを備えた梱包用のダンボール箱であって、前記一対の内フラップの対向する縁部から、該縁部と略直交するように形成された略平行な一対の切れ込み部，を備えるとともに、該一対の切れ込み部の間隔を、立設状態にある略方形の被梱包物の係止位置の厚みと略同一としたことを特徴とする。
【０００８】
他の発明のダンボール箱は、底面側または上面側の少なくともいずれか一方に、内側に折り曲げ可能な対向する一対の内フラップを備えた梱包用のダンボール箱であって、前記一対の内フラップの対向する縁部から、該縁部と略直交するように形成された第１の切れ込み部，該第１の切れ込み部の端部から、前記縁部と略平行になるように左右方向へ形成された第２の切れ込み部，を備えるとともに、前記第２の切れ込み部の長さを、立設状態にある略方形の被梱包物の係止位置の厚みと略同一としたことを特徴とする。
【０００９】
更に他の発明は、底面側または上面側の少なくとも一方に、内側に折り曲げ可能な対向する一対の内フラップを備えた梱包用のダンボール箱であって、前記一対の内フラップの対向する縁部から所定の間隔を設けて、該縁部と略直交する方向に略平行に形成された一対の第１の切れ込み部，両端が前記一対の第１の切れ込み部に接するとともに、該第１の切れ込み部と略直交するように形成された第２の切れ込み部，を備えるとともに、前記一対の第１の切れ込み部の間隔を、立設状態にある略方形の被梱包物の係止位置の厚みと略同一としたことを特徴とする。主要な形態の一つでは、前記被梱包物が、一方の面に遊技盤を備えたパチンコ台であることを特徴とする。
【００１０】
本発明の梱包方法は、請求項１，２，７のいずれかに記載のダンボール箱を利用した梱包方法であって、前記一対の切れ込み部の両側を、前記縁部と略平行に内側へ折り曲げることによって、折り曲げられた部分の縁を、前記被梱包物の両面に当接させて係止することを特徴とする。
【００１１】
他の発明の梱包方法は、請求項３，４，７のいずれかに記載のダンボール箱を利用した梱包方法であって、前記第１の切れ込み部の両側を、該第１の切れ込み部と略平行に折り曲げるとともに、前記第２の切れ込み部の両端側を、前記縁部と略平行に内側へ折り曲げることによって、前記第１の切れ込み部の両側の折り曲げられた面を、前記被梱包物の両面に当接させて係止することを特徴とする。
【００１２】
更に他の発明の梱包方法は、請求項５〜７のいずれかに記載のダンボール箱を利用した梱包方法であって、前記第１の切れ込み部の両端側を前記縁部と略平行に内側に折り曲げ、前記第２の切れ込み部の両側を開いて開口部を形成し、該開口部に前記被梱包物の隅部を収納して係止することを特徴とする。
【００１３】
更に他の発明の梱包方法は、底面側または上面側の少なくとも一方に、内側に折り曲げ可能な内フラップを備えたダンボール箱を利用した梱包方法であって、前記内フラップに切れ込み部を形成するとともに、該内フラップの一部を折り曲げることによって被梱包物を保持することを特徴とする。
【００１４】
更に他の発明の梱包方法は、底面側または上面側の少なくとも一方に、内側に折り曲げ可能な対向する一対の内フラップを備えたダンボール箱を利用し、略方形の被梱包物を立設状態で保持する梱包方法であって、前記一対の内フラップの対向する縁部から、該縁部と略直交する方向に、前記被梱包物の係止位置の厚みと略同一の間隔で、略平行な一対の切れ込み部を形成するステップ，前記一対の切れ込み部の両側を前記縁部と略平行に内側へ折り曲げ、折り曲げられた部分の縁を、前記被梱包物の両面に当接させるステップ，を含むことを特徴とする。
【００１５】
更に他の発明の梱包方法は、底面側または上面側の少なくとも一方に、内側に折り曲げ可能な対向する一対の内フラップを備えたダンボール箱を利用し、略方形の被梱包物を立設状態で保持する梱包方法であって、前記一対の内フラップの対向する縁部から、該縁部と略直交する方向に第１の切れ込み部を形成するステップ，前記第１の切れ込み部の端部から、前記縁部と略平行になる左右方向へ、前記被梱包物の係止位置の厚みと略同一の長さで第２の切れ込み部を形成するステップ，前記第１の切れ込み部の両側を、該第１の切れ込み部と略平行に折り曲げるとともに、前記第２の切れ込み部の両端側を、前記縁部と略平行に内側へ折り曲げ、前記第１の切れ込み部の両側の折り曲げられた面を、前記被梱包物の両面に当接させるステップ，を含むことを特徴とする。
【００１６】
更に他の発明の梱包方法は、底面側または上面側の少なくとも一方に、内側に折り曲げ可能な対向する一対の内フラップを備えたダンボール箱を利用し、略方形の被梱包物を立設状態で保持する梱包方法であって、前記一対の内フラップの対向する縁部から所定の間隔を設けて、該縁部と略直交する方向に略平行な一対の第１の切れ込み部を形成するステップ，前記一対の第１の切れ込み部間に、該第１の切れ込み部と略直交する第２の切れ込み部を形成するステップ，前記第１の切れ込み部の両端側を前記縁部と略平行に内側に折り曲げ、前記第２の切れ込み部の両側を開いて開口部を形成し、該開口部に前記被梱包物の隅部を収納するステップ，を含むことを特徴とする。本発明の前記及び他の目的，特徴，利点は、以下の詳細な説明及び添付図面から明瞭になろう。
【００１７】
【発明の実施の形態】
＜実施形態１＞……以下、本発明の実施の形態について詳細に説明する。最初に、図１を参照しながら、本発明の実施形態１について説明する。図１（Ａ）は、本形態のダンボール箱の構造を示す斜視図であり、同図（Ｂ）は、梱包の様子を示す図である。本発明のダンボール箱は、ある一定の厚みを有する略方形状（すなわち略直方体状）の被梱包物全般に対して適用可能であるが、本実施形態では、パチンコ台４０を立設状態で保持するために使用するものとする。なお、パチンコ台４０は、図１（Ｂ）に示すように、一定の厚みを有する略方形状となっており、その正面４２には、遊技盤４４のほか打球ハンドル，貯留皿などの多数のパーツが突設されている。また、その側面部分（ないし厚み部分）は、幅Ｗ２の外枠４８で覆われている。
【００１８】
図１（Ａ）に示すように、本実施形態のダンボール箱１０は、４つの側面１２，１４，１６，１８と、開口部２０，２１からなる略直方体形状となっている。側面１２及び１６の下端には、通常は内蓋として使用される内フラップ（ないしベロ）２２及び２４が対向するように、側面に連続して設けられている。同じく上端には、一対の内フラップ３０及び３２が設けられている。これら内フラップ２２，２４及び３０，３２は、折り目線２２Ｂ，２４Ｂ，３０Ｂ，３２Ｂに沿って内側に折り曲げられたときに、縁部２２Ａ及び２４Ａ，３０Ａ及び３２Ａが所定の間隔をあけて突き合わせになるように設定されている。
【００１９】
また、側面１４及び１８の下端には、蓋として使用される外フラップ２６及び２８が対向するように側面に連続して設けられており、その上端には、外フラップ３４及び３６が対向するように設けられている。これら外フラップ２６及び２８と、３４及び３６は、折り目線２６Ｂ，２８Ｂ，３４Ｂ，３６Ｂに沿って内側に折り曲げたときに、それらの縁部２６Ａと２８Ａ，３４Ａと３６Ａが隙間なく突き合わせになる長さに設定されている。すなわち、ダンボール箱１０の上下にほぼ完全に蓋をすることが可能となっている。
【００２０】
上述した開口部２０は、内フラップ２２及び２４と、外フラップ２６及び２８により閉口され、他方の開口部２１は、内フラップ３０及び３２と、外フラップ３４及び３６により閉口される。このような構造のダンボール箱１０は、基本的には上下の区別がないが、本実施形態では、説明の都合上、開口部２０側を底面，開口部２１側と上面とする。なお、ダンボール箱１０を形成するダンボールシートとしては、用途ないし被梱包物の内容に応じて、公知の各種のものを用いることができるが、本実施形態では、重量のあるパチンコ台４０を梱包するため、厚みのある丈夫なものを使用すると好都合である。
【００２１】
上述した内フラップ２２，２４，３０，３２には、パチンコ台４０を立設状態で保持するための切れ込み加工が施されている。内フラップ３０を例に挙げて説明すると、まず、内フラップ３０の縁部３０Ａの略中央には、所定の間隔Ｗ１を有する切れ込み部３０Ｄが、縁部３０Ａと略直交する方向に平行に形成されている。これら切れ込み部３０Ｄの長さは、折り目線３０Ｂに達することがなければ任意であるが、図示の例では、縁部３０Ａと折り目線３０Ｂのほぼ中間地点に達するように形成されている。このような切れ込み部３０Ｄの間隔Ｗ１は、上述したパチンコ台４０の外枠４８の幅Ｗ２と略同一となるように設定されている。
【００２２】
また、内フラップ３０には、前記切れ込み部３０Ｄの両側の部分を、縁部３０Ａ（ないし折り目線３０Ｂ）と略平行になるように内側へ折り曲げるための折り目線３０Ｃが、前記切れ込み部３０Ｄの根元を一端として形成されている。該折り目線３０Ｃに沿って切れ込み部３０Ｄの両側を折り曲げると、それによって形成された係止片３１の縁部が、前記パチンコ台の正面４２及び背面４６の隅の部分に当接する。すなわち、パチンコ台４０を両面側から押さえることにより、厚み方向への動きを抑えることができる。
【００２３】
他の内フラップ２２，２４，３２の構造も、前記内フラップ３０と同様であり、それぞれ、切れ込み部２２Ｄ，２４Ｄ，３２Ｄを備えており、折り目線２２Ｃ，２４Ｃ，３２Ｃに沿って折り曲げることにより、パチンコ台４０の両面に当接する縁を有する係止片２３，２５，３３が形成される。なお、前記切れ込み部２２Ｄ及び２４Ｄと、切れ込み部３０Ｄ及び３２Ｄの位置は、内フラップ２２及び２４と、内フラップ３０及び３２をそれぞれ突き合わせたときに同一線上にくるように設定されており、これによって、パチンコ台４０の正面４２及び背面４６を、ダンボール箱１０の側面１４及び１８と略平行となるように保持することが可能となっている。
【００２４】
次に、本実施形態の作用を説明する。まず、図１（Ａ）の状態にあるダンボール箱１０の底面側の内フラップ２２及び２４を、同図（Ｂ）に示すように、折り目線２２Ｃ及び２４Ｃに沿って切れ込み部２２Ｄ及び２４Ｄの両側を内側へ折り曲げる。そして、内フラップ２２及び２４全体を折り目線２２Ｂ及び２４Ｂに沿って内側に折り曲げ、更に、外フラップ２６及び２８も折り目線２６Ｂ及び２８Ｂに沿って内側に折り曲げ、突き合わせになった縁部２６Ａと２８Ａを、外側から粘着テープなどで固定する。そして、パチンコ台４０の外枠４８の隅を、底面側の一方の内フラップ２２の係止片２３−２３間と、他方の内フラップ２４の係止片２５−２５間に嵌めるように、開口部２１から収納する。
【００２５】
次に、上面側の内フラップ３０の切れ込み部３０Ｄの両側を折り目線３０Ｃに沿って内側に折り曲げ、更に、内フラップ３０全体を折り目線３０Ｂに沿って内側に折り曲げる。他方の内フラップ３２についても同様に、切れ込み部３２Ｄの両側を内側に折ってから、全体を折り目線３２Ｂに沿って折り曲げる。この状態においては、４つの内フラップの切れ込み線の両側に係止片２３，２５，３１，３３が形成されており、その縁部がパチンコ台４０の正面４２及び背面４６に四隅で当接するため、パチンコ台４０は立設状態で保持される。なお、各切れ込み部の両側の折り曲げ程度は任意であるが、極端に鋭角や鈍角になるように折り曲げると十分な係止効果が見られない。
【００２６】
以上の内フラップ２２，２４，３０，３２による係止は、パチンコ台４０の四隅においてのみ行われるため、本形態のパチンコ台４０のように、片面の一部に張り出した形状物（遊技盤４４など）を備えた被梱包物でも、支障なく立設状態で保持することができる。そして最後に、外フラップ３４及び３６を、折り目線３４Ｂ及び３６Ｂに沿って折り曲げ、その縁部３４Ａ及び３６Ａを突き合わせにした状態で、外側から粘着テープなどの任意の手段で固定することにより、パチンコ台４０の梱包が完了する。
【００２７】
このように、本実施形態によれば、内フラップの突き合わせ側の縁部から、該縁部に略直交する方向に、被梱包物の厚みと略同一の幅で平行に切れ込み部を設け、該切れ込み部の両側を、前記縁部と略平行になるように内側に折り曲げることとしたので、次のような効果が得られる。
（１）切り込み部の両側を折り曲げて形成された係止片の縁部を、パチンコ台４０の正面４２と背面４６に当接させるため、簡単な構成でありながら、パチンコ台４０をダンボール箱１０の中に立設保持し、厚み方向への移動を防止することができる。これにより、振動や揺れなどによる破損や故障の防止が可能となる。
（２）内フラップが、被梱包物を隅で係止しているため、被梱包物が遊技盤４４のように片面ないし両面に張り出した突設物を備えている場合でも、その突設物の形状を問わず、被梱包物を立設・保持することができる。
（３）内フラップに被梱包物（本形態の場合はパチンコ台４０）の幅に応じて切り込みを設けるのみでよく、他の仕切部材などを必要としないため、梱包時の作業性が格段に向上するとともに、製造時間の短縮，資源の節約，コスト削減も図ることができる。
（４）発泡樹脂の仕切部材やスペーサなどを使用せず、単一部材，すなわち、ダンボールシートのみで被梱包物の保持が可能であることから、使用後の処理に手間がかからない。
【００２８】
＜実施形態２＞……次に、図２を参照して本発明の実施形態２について説明する。図２（Ａ）は、本形態のダンボール箱の構造を示す斜視図，同図（Ｂ）は、梱包の様子を示す図である。本形態のダンボール箱５０は、上述した実施形態と同様に、４つの側面５２，５４，５６，５８とその上下の開口部６０及び６２よりなる略直方体形状となっている。また、底面側の開口部６０には、対向する一対の内フラップ６４，６６と、一対の外フラップ６８，７０が設けられており、上面側の開口部６２には、同じく対向する一対の内フラップ７２，７４と、外フラップ７６，７８を備えている。
【００２９】
上述した実施形態では、内フラップに平行の切れ込み部を設け、その両側を内側へ折り曲げることで係止片の縁部によりパチンコ台４０を係止することとしたが、本形態は、切れ込みを略Ｔ字状に形成したものである。すなわち、内フラップ７２を代表として説明すると、内フラップ７２には、折り目線７２Ｂ及び縁部７２Ａとの略中間位置に、これらと略平行に折り目線７２Ｃが形成されている。そして、前記縁部７２Ａの略中央から前記折り目線７２Ｃに達するまで、前記縁部７２Ａと略直交する方向に切れ込み部７２Ｅが形成されている。更に、該切れ込み部７２Ｅの端部からは、前記折り目線７２Ｃに沿って左右両側に、切れ込み部７２Ｆが形成されている。切れ込み部７２Ｆの一端から他端までの長さＷ３は、パチンコ台４０の外枠４８の幅Ｗ２と略同一に設定されている。これら切れ込み部７２Ｅ及び７２Ｆにより略Ｔ字形状が形成されている。そして、前記切れ込み部７２Ｆの両端をそれぞれ一端とする折り目線７２Ｄが、前記切れ込み部７２Ｅと略平行になるように設けられている。この折り目線７２Ｄに沿って折り曲げると、折り曲げられた部分がパチンコ台４０の正面４２及び背面４６に当接する係止片７３となる。他の内フラップ６４，６６，７４についても同様の構成であり、それぞれ、折り目線６４Ｃ，６４Ｄ，６６Ｃ，６６Ｄ，７４Ｃ，７４Ｄと、切れ込み部６４Ｅ，６４Ｆ，６６Ｅ，６６Ｆ，７４Ｅ，７４Ｆにより、係止片６５，６７，７５が形成されている。
【００３０】
本実施形態の作用は、パチンコ台４０の梱包にあたり、内フラップ６４，６６，７２，７４の折り曲げ方以外は、基本的には上述した実施形態と同様である。すなわち、本形態では、内フラップ７２の切れ込み部７２Ｅの両側を折り目線７２Ｄに沿って内側に折り曲げ、次に、折り目線７２Ｃに沿って内側に折り曲げる。そして、内フラップ７２全体を折り目線７２Ｂに沿って内側に折り曲げ、両係止片７３をパチンコ台４０の正面４２及び背面４６に当接させる。他の内フラップ６４，６６，７４についても同様にすることにより、各切れ込み部の両側に形成された係止片６５，６７，７５によってパチンコ台４０の厚み方向への移動を防止することができる。他の効果についても上述した実施形態と同様である。
【００３１】
＜実施形態３＞……次に、図３を参照して本発明の実施形態３について説明する。図３（Ａ）は、本形態のダンボール箱の構造を示す斜視図，同図（Ｂ）は、梱包の様子を示す図である。本形態のダンボール箱８０は、上述した実施形態と同様に、４つの側面８２，８４，８６，８８とその上下の開口部９０及び９１からなる略直方体形状となっている。また、底面側の開口部９０には、対向する一対の内フラップ９２，９４と、一対の外フラップ９６，９８が設けられており、上面側の開口部９１には、同じく対向する一対の内フラップ１００，１０２と、外フラップ１０４，１０６を備えている。
【００３２】
上述した実施形態１では、内フラップの縁部から略平行な切れ込み部を設け、その両側を内側へ折り曲げることによってパチンコ台４０を係止することとしたが、本形態は、内フラップに略Ｈ字状の切れ込みを形成したものである。内フラップ１００を例にあげて説明すると、内フラップ１００には、縁部１００Ａ及び折り目線１００Ｂと略平行になるように、２つの折り目線１００Ｃ及び１００Ｄが所定の間隔で設けられている。そして、折り目線１００Ｃから折り目線１００Ｄに達するまで、これらと略直交する方向に、一対の略平行な切れ込み部１００Ｅが形成されている。すなわち、切れ込み部１００Ｅは、その両端が、前記折り目線１００Ｃ及び１００Ｄと略直角に接した状態となっている。
【００３３】
更に、前記一対の切れ込み部１００Ｅのそれぞれの略中間位置を結ぶように、両端が前記切れ込み部１００Ｅと直角に交わる切れ込み部１００Ｆが形成されている。これら切れ込み部１００Ｅ及び１００Ｆにより、内フラップ１００に略Ｈ字状の切れ込みが形成される。なお、前記一対の切れ込み部１００Ｅの間隔（ないし切れ込み部１００Ｆの長さ）Ｗ４は、上述したパチンコ台４０の隅部の幅Ｗ２と略同一となるように設定されている。
【００３４】
前記折り目線１００Ｃ及び１００Ｄに沿ってフラップ１００を内側に折り曲げると、切れ込み部１００Ｆの両側も、前記折り目線１００Ｃ，１００Ｄに沿って折り曲げ可能となっているので、一対の切れ込み部１００Ｅに挟まれた部分が上下に開いた窓１０１を形成する。該窓１０１に前記パチンコ台４０の隅部を収納することにより、その正面４２及び背面４６が窓１０１の縁に当接して係止可能となる。他の内フラップ９２，９４，１０２についても同様の構成であり、それぞれ、折り目線９２Ｃ，９２Ｄ，９４Ｃ，９４Ｄ，１０２Ｃ，１０２Ｄと、切れ込み部９２Ｅ，９２Ｆ，９４Ｅ，９４Ｆ，１０２Ｅ，１０２Ｆが設けられており、それによって窓１０３などが形成されている。
【００３５】
本実施形態の作用は、内フラップ９２，９４，１００，１０２の折り曲げ方以外は、基本的には上述した実施形態と同様である。すなわち、本実施形態では、パチンコ台４０の梱包にあたり、内フラップ１００を折り目線１００Ｃ及び１００Ｄに沿って内側に折り曲げ、次に、折り目線１００Ｂに沿って全体を内側に折り曲げる。そして、パチンコ台４０の隅部を、一対の切れ込み部１００Ｅで挟まれた部分に差し込むようにすると、切れ込み部１００Ｆの両側が折り目線１００Ｃ及び１００Ｄに沿って開いて窓１０１を形成し、該窓１０１にパチンコ台４０の隅部が収納される。この状態では、パチンコ台４０の正面４２及び背面４６は、窓１０１の縁に当接しており、厚み方向への移動が防止される。他の内フラップ９２，９４，１０２についても同様にすることにより、窓１０３などにパチンコ台４０の隅部を収納して厚み方向への移動を防止することができる。他の効果についは、上述した実施形態と同様である。
【００３６】
＜他の実施形態＞……本発明には数多くの実施形態があり、以上の開示に基づいて多様に改変することが可能である。例えば、次のようなものも含まれる。
（１）前記形態で示したダンボール箱は、いわゆるみかん箱型であったが、少なくとも一対の内フラップを含むものであれば、公知の各種の形状のダンボール箱に適用可能である。例えば、上面側が一対の内フラップと、その外側に設けられた差込式の蓋部を有するものであってもよいし、底面側あるいは上面側のいずれか一方のみに内フラップを有する構造のものであってもよい。また、前記形態では底面側の外フラップを突き合わせて貼り合わせることとしたが、底面側での係止が必要ない場合には、差込式，地獄底式など、任意の形式としてよい。
【００３７】
（２）前記形態では、内フラップによって被梱包物の四隅を係止することとしたが、被梱包物の内容・用途やダンボール箱の形状に応じて、上面側または底面側の２ヶ所のみを係止するようにしてもよい。あるいは、底面側の一隅とその対角する隅を係止するようにしてもよい。
【００３８】
（３）前記形態で示した内フラップは一例であり、その長さは適宜変更してよい。例えば、前記形態では、一対の内フラップが、一定の間隔をおいて縁部が対向する長さとしたが、縁部同士が完全に接するように突き合わせにしてもよいし、一部が重なり合うような長さとしてもよい。
【００３９】
（４）前記形態で示した折り曲げ方は一例であり、同様の効果を奏するように、折り曲げ位置及び向きを、切れ込み部の長さ，幅，位置などに応じて適宜変更してよい。例えば、前記形態１において、係止片自体を更に折り曲げ、屈折した縁部によってパチンコ台４０を係止することを妨げるものではない。図４（Ａ）には、係止片２３に、折り目線２２Ｃと略平行な折り目線２２Ｅが形成されており、該折り目線２２Ｅに沿って、側面１２側もしくはその反対側に向かうように折り曲げられた例が示されている。このように係止片２３を任意の位置で折り曲げることにより、複雑な面形状を有するパチンコ台４０なども良好に保持することができる。また、前記形態２では、縁部に直交する切れ込み部（例えば６４Ｅ）の両側を内側へ折り曲げることとしたが、図４（Ｂ）に示すように、切れ込み部６４Ｅの両側を、折り目線６４Ｄに沿って外側に折り曲げるようにしても前記形態と同様の効果が得られる。
【００４０】
更に、図４（Ｃ）に示すように、実施形態３の内フラップ１００において、折り目線１００Ｂと１００Ｃの中間位置に、これらと略平行な折り目線１００Ｇを更に設け、内側に折り曲げるようにしてもよい。これにより、折り目線１００Ｃと１００Ｇの間隔に相当する厚みの空間が生じ、上下方向への揺れによる衝撃を吸収することができる。また、パチンコ第４０の隅部がダンボール箱８０の上面側または底面側に突出した形状となっている場合にも適用可能である。また、以上のようにして適宜折り曲げられた部分を、粘着性のテープや接着剤などを用いて固定するようにしてもよい。
【００４１】
（５）内フラップの切れ込み部の深さ（ないし長さ），幅，位置も任意であり、必要に応じて適宜変更可能である。例えば、前記形態３では、内フラップに設ける切れ込み部を略Ｈ字状としたが、図４（Ｄ）に示すように、略コ字状としてもよい。図示の例では、内フラップ１００の切れ込み部１００Ｆは、一対の切れ込み部１００Ｅの縁部１００Ａ側の両端を結ぶ位置，すなわち、折り目線１００Ｄ上に形成されている。このため、切れ込み部１００Ｅに挟まれた部分を折り曲げることなく窓１０１Ａが形成される。また、折り目線１００Ｄでの折り方が前記形態３と逆になっており、折り目線１００Ａと１００Ｄに挟まれた部分の面が、側面８２に当接するようになっている。前記窓１０１Ａに、パチンコ台４０の隅部を挿入することにより、上述した実施形態と同様の効果が得られる。
【００４２】
また、上述した切れ込み部や折れ目線などを複数設け、一つのダンボール箱に複数の被梱包物を収納・支持するようにしてもよい。また、切れ込み部を形成するためのミシン目を複数設けておき、梱包物に合わせて最適の位置でミシン目に沿って切り離して使用するようにしてもよい。例えば、上述した実施形態では、パチンコ台４０の外枠４８の幅Ｗ２は、全周で一定であることとしたが、４隅で必ずしもその幅Ｗ２が同じでなくてもよい。この場合、前記形態１又は前記形態３であれば、内フラップに設ける平行な切れ込み部（例えば３０Ｄや１００Ｅ）間の間隔Ｗ１又はＷ４，前記形態２であれば、内フラップに設ける切れ込み部（例えば７２Ｆ）の長さＷ３を、それぞれ係止位置でのパチンコ台の幅に合わせて設定すればよい。このように、切れ込み部の形成位置や長さを調整することにより、全体で不均一な厚みを有する被梱包物の形成が可能となる。
【００４３】
（６）前記形態では、あらかじめ切れ込み部を設けたダンボール箱を用意することとしたが、加工を施していないダンボール箱のみを用意し、梱包作業時に切れ込みを設けるようにしてもよい。例えば、パチンコ台４０を梱包するのであれば、作業時に、厚みＷ２に合わせて前記形態１の切れ込み部３０Ｄや、前記形態２の切れ込み部７２Ｆ，前記形態３の１００Ｅなどを形成することにより、各種サイズのパチンコ台４０を梱包することが可能である。また、前記形態では、あらかじめ折り目線を設けることとしたが、これも切れ込み部と同様に、作業時に被梱包物の形状・サイズに応じて直接折り曲げるようにしてもよい。
【００４４】
（７）前記形態で示した組立順序は一例であり、同様の効果を奏するものであれば、どのような組立方法であってもよい。また、折り曲げ角度についても、被梱包物を係止できれば、任意に変更してよい。また、例えば、前記実施形態１においては、切れ込み部の両側を根元から折り曲げることとしたが、必要に応じて他の部分から折り曲げるようにしてもよいし、左右の折り曲げ位置が異なるようにしてもよい。実施形態２及び３についても同様である。
【００４５】
（８）本発明のダンボール箱を形成するダンボール紙（ダンボールシート）は、公知の各種のものを利用してよい。例えば、前記形態では、重量のあるパチンコ台を立設支持するため、厚みのあるシートを利用することとしたが、被梱包物の重量に応じて、その厚みは適宜変更してよい。また、ダンボール箱自体も、公知の製造方法で製造されたものであってもよい。
【００４６】
（９）前記形態ではパチンコ台４０を立設支持することとしたが、本発明は、片面または両面のいずれかに多数の凹凸形状を含む被梱包物や、全体の厚みが不均一である被梱包物全般に特に適している。もちろん、単純な略直方体状の他の各種の被梱包物，例えば、書籍，雑誌などの梱包に適用することを妨げるものではない。
【００４７】
【発明の効果】
以上説明したように、本発明によれば、ダンボール箱の底面側または上面側の少なくとも一方に設けられた内フラップに、切れ込み部や折り曲げ部を形成し、折り曲げた部分の縁や面あるいは折り曲げて形成された開口部の縁で被梱包物の隅を両面から係止することとしたので、単一部材からなる簡単な構成でありながら、被梱包物を立設支持して破損や故障を防止することができるとともに、生産性や梱包時の作業性の向上，資源の節約を図ることができる。
【図面の簡単な説明】
【図１】本発明の実施形態１を示す図であり、（Ａ）は本形態のダンボール箱の構造を示す斜視図，（Ｂ）は梱包の様子を示す図である。
【図２】本発明の実施形態２を示す図であり、（Ａ）は本形態のダンボール箱の構造を示す斜視図，（Ｂ）は梱包の様子を示す図である。
【図３】本発明の実施形態３を示す図であり、（Ａ）は本形態のダンボール箱の構造を示す斜視図，（Ｂ）は梱包の様子を示す図である。
【図４】本発明の他の実施形態を示す図である。
【符号の説明】
１０…ダンボール箱
１２〜１８…側面
２０，２１…開口部
２２，２４，３０，３２…内フラップ
２２Ａ，２４Ａ，３０Ａ，３２Ａ…縁部
２２Ｂ，２２Ｃ，２２Ｅ，２４Ａ，２４Ｂ，３０Ｂ，３０Ｃ，３２Ｂ，３２Ｃ…折り目線
２２Ｄ，２４Ｄ，３０Ｄ，３２Ｄ…切れ込み部
２３，２５，３１，３３…係止片
２６，２８，３４，３６…外フラップ
２６Ａ，２８Ａ，３４Ａ，３６Ａ…縁部
２６Ｂ，２８Ｂ，３４Ｂ，３６Ｂ…折り目線
４０…パチンコ台
４２…正面
４４…遊技盤
４６…背面
４８…外枠
５０…ダンボール箱
５２〜５８…側面
６０，６２…開口部
６４，６６，７２，７４…内フラップ
６４Ａ，６６Ａ，７２Ａ，７４Ａ…縁部
６４Ｂ〜６４Ｄ，６６Ｂ〜６６Ｄ，７２Ｂ〜７２Ｄ，７４Ｂ〜７４Ｄ…折り目線
６４Ｅ，６４Ｆ，６６Ｅ，６６Ｆ，７２Ｅ，７２Ｆ，７４Ｅ，７４Ｆ…切れ込み部
６５，６７，７３，７５…係止片
６８，７０，７６，７８…外フラップ
６８Ａ，７０Ａ，７６Ａ，７８Ａ…縁部
６８Ｂ，７０Ｂ，７６Ｂ，７８Ｂ…折り目線
８０…ダンボール箱
８２〜８８…側面
９０，９１…開口部
９２，９４，１００，１０２…内フラップ
９２Ａ，９４Ａ，１００Ａ，１０２Ａ…縁部
９２Ｂ〜９２Ｄ，９２Ｇ，９４Ｂ〜９４Ｄ，９４Ｇ，１００Ｂ〜１００Ｄ，１００Ｇ，１０２Ｂ〜１０２Ｄ，１０２Ｇ…折り目線
９２Ｅ，９２Ｆ，９４Ｅ，９４Ｆ，１００Ｅ，１００Ｆ，１０２Ｅ，１０２Ｆ…切れ込み部
９６，９８，１０４，１０６…外フラップ
９６Ａ，９８Ａ，１０４Ａ，１０６Ａ…縁部
９６Ｂ，９８Ｂ，１０４Ｂ，１０６Ｂ…折り目線
１０１，１０１Ａ，１０３…窓
【図１】
2004284591.tif 000003
【図２】
2004284591.tif 000004
【図３】
2004284591.tif 000005
【図４】
2004284591.tif 000006